(57)【要約】【課題】哺乳瓶本体等容器の内外両面をほぼ同時に洗浄することができる洗浄効率の高い洗浄具を提供する。【解決手段】第１ロッド４の一端部にブラシ５を配設してなるブラシ部６およびこの第１ロッド４の他端部に形成された柄７とを備えたブラシロッド２と、第２ロッド８の一端部にスポンジを配設してなるスポンジ部９およびこの第２ロッドの他端部に形成された柄１０を備えたスポンジロッド３と、スポンジロッドのスポンジ部と柄との中間部に、ブラシロッドのブラシ部と柄との中間部を交差させ、この交差部にてこれらスポンジロッドとブラシロッドとを回動自在に枢着してなるヒンジピン１１と、を具備している。【選択図】  図１
2005193180.tif 000002
【特許請求の範囲】
【請求項１】
棒状体の一端部にブラシを配設してなるブラシ部およびこの棒状体の他端部に形成された柄とを備えたブラシロッドと、
棒状体の一端部にスポンジを配設してなるスポンジ部およびこの棒状体の他端部に形成された柄を備えたスポンジロッドと、
このスポンジロッドの上記スポンジ部と柄との中間部に、上記ブラシロッドのブラシ部と柄との中間部を交差させ、この交差部にてこれらスポンジロッドとブラシロッドとを回動自在に枢着してなるヒンジ部と、
を具備していることを特徴とする洗浄具。
【請求項２】
上記ブラシロッドとスポンジロッドは、これら棒状体の少なくとも一方の先端部を撓曲自在に構成してなることを特徴とする請求項１記載の洗浄具。
【請求項３】
上記ブラシロッドとスポンジロッドの両柄は、指挿脱用孔を形成していることを特徴とする請求項１または２記載の洗浄具。
【請求項４】
上記ブラシ部とスポンジ部は、少なくともその対向面側に形成されていることを特徴とする請求項１〜３のいずれか１項に記載の洗浄具。
【請求項５】
上記ヒンジ部は、上記スポンジロッドとブラシロッドとの間を常時開放する方向に付勢するばねを具備していることを特徴とする請求項１〜４のいずれか１項に記載の洗浄具。
【発明の詳細な説明】
【技術分野】
【０００１】
本発明は乳首を取り外した哺乳瓶本体等の容器を洗浄する場合に好適な洗浄具に係り、特に、哺乳瓶本体等の内外両面をほぼ同時に洗浄することができる洗浄具に関する。
【背景技術】
【０００２】
従来、この種の洗浄具としては、洗浄用ブラシや洗浄用スポンジ等が知られている。洗浄用ブラシとしては、２本の撚り合わされた針金間に、多数の繊維をブラシとして連続状に挟着固定して棒状のブラシ部を構成し、このブラシ部に柄を設けているものがある。これはその棒状ブラシ部に、水や洗剤等を添加させてから、このブラシ部を、乳首を取り外した哺乳瓶本体内に挿入し、その内面をブラシ部により擦る等により洗浄するものである。
【０００３】
一方、洗浄用スポンジとしては、柄を有する棒状体の一端部外面にスポンジを被覆固着してスポンジ部を形成したものがある。これも、このスポンジ部に水や洗剤等を含浸させてから、このスポンジ部を哺乳瓶本体内に挿入し、その内面を擦る等により洗浄するものである。
【０００４】
また、近年では、上記洗浄用ブラシの外面全体を袋状布帛カバーにより被覆したものも提案されている（例えば、特許文献１参照）。
【特許文献１】特開２００２−１７７０５０号公報
【発明の開示】
【発明が解決しようとする課題】
【０００５】
しかしながら、このような従来の洗浄具では、みな哺乳瓶本体の内面を洗浄することができるものの、哺乳瓶本体の外面は別の洗浄具により洗浄しなければならず、煩雑であるという課題がある。
【０００６】
また、哺乳瓶本体の内面と外面とを別々の工程で洗浄しなければならず、効率が悪いという課題がある。
【０００７】
本発明は、このような事情を考慮してなされたもので、その目的は哺乳瓶本体等容器の内外両面をほぼ同時に洗浄することができる洗浄効率の高い洗浄具を提供することにある。
【課題を解決するための手段】
【０００８】
本発明は、ブラシ部を有するブラシロッドと、スポンジ部を有するスポンジロッドの軸方向中間部同士を回動自在に接続することにより、洗浄具を構成し、これらブラシ部とスポンジ部とにより哺乳瓶本体等容器の側周面をその内外両面から挟持させ、その挟持状態で容器の側周面に沿って洗浄具を相対的に移動させることにより、この哺乳瓶本体等の容器を洗浄させるものであり、次のように構成される。
【０００９】
本願請求項１に係る発明は、棒状体の一端部にブラシを配設してなるブラシ部およびこの棒状体の他端部に形成された柄とを備えたブラシロッドと、棒状体の一端部にスポンジを配設してなるスポンジ部およびこの棒状体の他端部に形成された柄を備えたスポンジロッドと、このスポンジロッドの上記スポンジ部と柄との中間部に、上記ブラシロッドのブラシ部と柄との中間部を交差させ、この交差部にてこれらスポンジロッドとブラシロッドとを回動自在に枢着してなるヒンジ部と、を具備していることを特徴とする洗浄具である。
【００１０】
本願請求項２に係る発明は、上記ブラシロッドとスポンジロッドは、これら棒状体の少なくとも一方の先端部を撓曲自在に構成してなることを特徴とする請求項１記載の洗浄具である。
【００１１】
本願請求項３に係る発明は、上記ブラシロッドとスポンジロッドの両柄は、指挿脱用孔を形成していることを特徴とする請求項１または２記載の洗浄具である。
【００１２】
本願請求項４に係る発明は、上記ブラシ部とスポンジ部は、少なくともその対向面側に形成されていることを特徴とする請求項１〜３のいずれか１項に記載の洗浄具である。
【００１３】
本願請求項５に係る発明は、上記ヒンジ部は、上記スポンジロッドとブラシロッドとの間を常時開放する方向に付勢するばねを具備していることを特徴とする請求項１〜４のいずれか１項に記載の洗浄具である。
【発明の効果】
【００１４】
本発明によれば、ブラシ部とスポンジ部とにより、哺乳瓶本体等容器の側周面を、その内外両面から挟持し、その挟持状態でこの洗浄具を容器の側周面に沿って相対的に移動させることにより、この容器の内外両面をほぼ同時に洗浄することができる。
【発明を実施するための最良の形態】
【００１５】
以下、本発明の実施形態を添付図面に基づいて説明する。なお、これらの図面中、同一または相当部分については同一符号を付している。
【実施例１】
【００１６】
図１は本発明の第１実施形態に係る洗浄具１の正面図であり、この洗浄具１はブラシロッド２とスポンジロッド３とを、いわば鋏状に接続している。
【００１７】
すなわち、ブラシロッド２は、棒状体の一例である第１ロッド４の一端部に、合成樹脂製や天然製等の複数のブラシ５を軸方向かつ周方向に所定のピッチで連続的に植設してブラシ部６を形成している。第１ロッド４は複数本の針金を撚り合わせてなり、その撚り合わせた針金間に多数の合成繊維または天然繊維をブラシとして連続的に挟着固定してブラシ部６を形成している。ブラシ部６はロッド４の一端部のほぼ全長かつ全周に形成されている。また、第１ロッド４は、その針金の全体を撓曲自在に形成し、または、少なくとも第１ロッド４の先端部を撓曲自在に形成している。
【００１８】
ブラシロッド２は第１ロッド４の他端部をクランク状に屈曲させてクランク部４ａを形成し、このクランク部４ａよりも先方の第１ロッド４ａの先端部（図１では左端部）に、プラスチック製等の所定長の柄７を一体または一体的に形成している。
【００１９】
一方、スポンジロッド３は、棒状体の一例である第２ロッド８の一端部のほぼ全外表面に、所定厚のスポンジを被覆固着してスポンジ部９を形成している。
【００２０】
第２ロッド８はプラスチック等により偏平棒状ないし板状に形成され、ブラシ部６に対向する対向面に所定幅の平面を有し、第２ロッド８およびスポンジ部９の全体または少なくとも先端部を撓曲自在に構成している。
【００２１】
スポンジロッド３は、第２ロッド８の他端部をクランク状に屈曲させてクランク部８ａを形成し、このクランク部８ａよりも先方の第２ロッド８の先端部（図１では左端部）に、プラスチック製等の所定長の柄１０を一体または一体的に形成している。
【００２２】
そして、このように構成されたブラシロッド２とスポンジロッド３の両クランク部４ａ，８ａ同士を板厚方向で重ね合わせて交差させ、この交差部において、これらクランク部４ａ，８ａ同士をヒンジピン１１により回動自在に結合している。
【００２３】
このために、ブラシロッド２とスポンジロッド３の両柄７，１０を手により握り締めることによりヒンジピン１１を支点としてブラシ部６とスポンジ部９間を閉じて相互に接触させる一方、両柄７，１０同士間を開放することによりブラシ部６とスポンジ部９間を開放させることができる。
【００２４】
図２はこのように構成された洗浄具１により、図示しない乳首を取り外した哺乳瓶本体１２を洗浄する場合の一例を示す正面図である。
【００２５】
図２に示すように哺乳瓶本体１２内に、その広口１２ａからブラシロッド２のブラシ部６を挿入し、スポンジ部９をこの広口１２ａより外方に位置させる。この状態でブラシロッド２とスポンジロッド３の両柄７，１０同士を手により握り締めると、この哺乳瓶本体１２の側周面が、その内外両面からブラシ部４とスポンジ部９とにより所要圧で挟持される。なお、このとき、ブラシ部６とスポンジ部９とには、所要の洗剤と水等を、予め所要量含浸させておく。または、哺乳瓶本体１２全体等を洗浄液中に浸しておく。
【００２６】
次に、このブラシ部４とスポンジ部９の挟持状態で洗浄具１を哺乳瓶本体１２の側周面に沿って移動させ、あるいは哺乳瓶本体１２をその中心軸周りに回転させて洗浄具１に対して相対的に移動させ、あるいは適宜軸方向に移動させることにより、１つの洗浄具１により哺乳瓶本体１２の内外周両面をほぼ同時に洗浄することができる。しかも、スポンジ部９は哺乳瓶本体１２の外側周面に弾性的に圧縮変形して密着するので、形状が若干異なる複数の哺乳瓶本体１２にも種々適合することができる。
【００２７】
また、図２に示すようにブラシ部６が哺乳瓶本体１２の内周面１２ｂに沿って撓曲して内底面１２ｃに当接するので、哺乳瓶本体１２の内側周面１２ｂと内体面１２ｃとを内外周面とほぼ同時に洗浄することができる。
【００２８】
さらに、一般に哺乳瓶本体１２ｂの内面はミルク等の収容物による汚れがこびり付いていることが多いが、その内側周面１２ｂと内底面１２ｃとをブラシ部６のブラシによりこそぎ落すことができる。
【００２９】
このために、哺乳瓶本体１２ｂの内面にこびり付いた強固な汚れもブラシ部６によりこそぎ落して洗浄することができる。
【００３０】
一方、スポンジ部９は、哺乳瓶本体１２の外周面に平面で弾性的に密着するので、この外面をほぼ均等かつ連続的にきめ細かく洗浄することができる。
【００３１】
そして、ブラシ部６とスポンジ部９の哺乳瓶本体１２に対する位置関係を内外入れ換える場合には、まずブラシロッド２とスポンジロッド３の両柄７，１０同士間を開いて、洗浄具１を哺乳瓶本体１２から取り外す。次に、今度はスポンジ部９を哺乳瓶本体１２内に挿入し、ブラシ部６を哺乳瓶本体１２の外面側に密着させてこの哺乳瓶本体１２を再度洗浄してもよい。
【００３２】
これによれば、ブラシ部６により洗浄しきれなかった哺乳瓶本体１２の内周面をスポンジ部９により連続的に洗浄することができる一方、哺乳瓶本体１２の外面にこびりついた汚れをブラシ部６によりこそぎ落すことができるので、その洗浄度を向上させることができる。
【００３３】
また、ブラシロッド２とスポンジロッド３の両柄７，１０の手の握り圧力を適宜調整することにより、ブラシ部６とスポンシ部９とによる哺乳瓶本体１２の側周面の挟持圧力、すなわち密着力を適宜調整して洗浄度を調整することができる。
【実施例２】
【００３４】
図３は本発明の第２実施形態に係る洗浄具１Ａの正面図である。この洗浄具１Ａは上記図１等で示す洗浄具１のブラシロッド２とスポンジロッド３の両柄７，１０を、これよりも幅広の柄７Ａ，１０Ａに形成すると共に、これら幅広柄７Ａ，１０Ａに、指が挿脱し得る指孔１３，１４をそれぞれ穿設した点に特徴がある。これ以外は上記洗浄具１とほぼ同一の構成であるので、その重複した説明は省略する。
【００３５】
このために、これら両幅広柄７Ａ，１０Ａの両指孔１３，１４内に、ユーザの例えば利き手の親指と人指し指等をそれぞれ挿入して把持し、両幅広柄７Ａ，１０Ａ間を開閉させることにより、ブラシ部６とスポンジ部９間を適宜角度で開閉することができ、洗浄具１Ａの使い勝手を向上させることができる。
【００３６】
なお、上記洗浄具１，１Ａのヒンジピン１１に図示しない戻しばねを設け、この戻しばねにより両柄７と１０、７Ａと１０Ａ同士間を常時開放させる方向に付勢するように構成してもよい。例えば戻しばねとして、ヒンジピン１１の外周に外嵌し得る一重または複数重のリング部と、このリング部の両端から外方へ所要角度で開脚突出する一対の脚部を有するばねを使用し、そのリング部をヒンジピン１１に外嵌し、一対の脚部を両柄７と１０、７Ａと１０Ａの各内端部に係止させて、これら柄７と１０、７Ａと１０Ａ同士を常時開放させるように付勢してもよい。
【００３７】
これによれば、ブラシ部６とスポンジ部９間が戻しばねにより常時開放しているので、これらブラシ部６とスポンジ部９同士間を閉じる時だけ両柄７と１０、７Ａと１０Ａ同士間を握り締めればよいので、さらなる利便性を向上させることができる。また、上記各実施形態では、洗浄具１，１Ａにより哺乳瓶本体１２を洗浄する場合について説明したが、本発明はこれに限定されるものではなく、他の瓶類等の容器の洗浄にも使用することができる。さらに、図１〜図３では、スポンジ部９よりもブラシ部６の方が若干長く形成されているが、その逆でもよく、あるいは同じ長さでもよい。
【００３８】
さらに、上記各洗浄具１，１Ａでは、ブラシ部６とスポンジ部９を、これら両者６，９同士の対向面（内面側）以外の外面にも形成しているが、この対向面側のみに形成してもよい。これによれば、ブラシ部６とブラシとスポンジ部９のスポンジの使用量を減少させてコスト低減を図ることができる。
【図面の簡単な説明】
【００３９】
【図１】本発明の第１実施形態に係る洗浄具の正面図。
【図２】図１で示す洗浄具により哺乳瓶本体を洗浄する状態を示す正面図。
【図３】本発明の第２実施形態に係る洗浄具の正面図。
【符号の説明】
【００４０】
１，１Ａ…洗浄具、２…ブラシロッド、３…スポンジロッド、４…第１ロッド、４ａ…第１ロッドのクランク部、５…ブラシ、６…ブラシ部、７，１０…柄、７Ａ，１０Ａ…幅広柄、８…第２ロッド、８ａ…第２ロッドのクランク部、９…スポンジ部、１１…ヒンジピン、１２…哺乳瓶本体、１３，１４…指孔。
【図１】
2005193180.tif 000003
【図２】
2005193180.tif 000004
【図３】
2005193180.tif 000005